(57)【特許請求の範囲】
【請求項１】
ゴミ箱と、
上記ゴミ箱を床面に接する下部に収納する収納スペースとを有する収納家具であって、
上記ゴミ箱は、
底板と、
上記底板に立った状態に設けられ、互いに対向して配置された第１側板及び第２側板と、
上記底板に立った状態に設けられ、上記第１側板及び上記第２側板の背面側に連結された背板と、
上記底板に立った状態に設けられ、上記第１側板及び上記第２側板の前面側に連結された前板とを備え、
上記第１側板の上端部の上記第２側板側の表面には、ゴミ袋の開口縁を固定する第１固定バーが該上端部の端縁に沿って該端縁から突出するように設けられ、
上記第２側板の上端部の上記第１側板側の表面には、ゴミ袋の開口縁を固定する第２固定バーが該上端部の端縁に沿って該端縁から突出するように設けられ、
上記底板の裏面には、キャスターが設けられていることを特徴とする収納家具。
【請求項２】
請求項１に記載された収納家具において、
上記収納スペースの前面には、収納扉が設けられ、該収納扉の上方がゴミ投入口になっていることを特徴とする収納家具。
【請求項３】
請求項１に記載された収納家具において、
上記前板は、上記収納スペースの下側部分を隠すように設けられ、該前板の上方がゴミ投入口になっていることを特徴とする収納家具。
【請求項４】
請求項３に記載された収納家具において、
上記収納スペースよりも上側のスペースの前面には、収納扉が設けられ、
上記前板の前面は、上記収納扉の前面と同一平面に配置するように設けられていることを特徴とする収納家具。
【請求項５】
請求項１〜４の何れか１つに記載された収納家具において、
上記背板及び上記前板の間には、箱内をゴミ袋内でゴミを収容する空間と使用前のゴミ袋を収容する空間とに仕切る仕切り板が上記第１側板及び上記第２側板と対向するように設けられ、
上記仕切り板は、上記第２側板との間に上記使用前のゴミ袋を縦に収容する空間を形成し、上記第２固定バーと上面視で重ならないように設けられていると共に、上記底板、上記背板及び上記前板に対して、該仕切り板を上下方向に移動させることにより取り外し可能に設けられていることを特徴とする収納家具。
【請求項６】
請求項１〜５の何れか１つに記載された収納家具において、
上記第１固定バー及び上記第２固定バーは、両端部以外が上記第１側板の上端部及び上記第２側板の上端部と離間するようにそれぞれ設けられていることを特徴とする収納家具。
【発明の詳細な説明】
【技術分野】
【０００１】
本発明は、ゴミ箱を収納する収納家具に関するものである。
【背景技術】
【０００２】
ゴミ箱の多くは、その内壁の汚れを防止するために、その内部にゴミ袋を装着して、そのゴミ袋内に廃棄するゴミを収容するように構成されている。
【０００３】
例えば、特許文献１には、複数の支持腕を用いて、ゴミ箱の開口部内側に、ゴミ箱筒体面とほぼ一定の間隔を空けて環状フレームを取り付けたフレーム組込式ゴミ箱が開示されている。
【先行技術文献】
【特許文献】
【０００４】
【特許文献１】特開２００４−９１２０６号公報
【発明の概要】
【発明が解決しようとする課題】
【０００５】
ところで、上記特許文献１に開示されたフレーム組込式ゴミ箱では、余分なゴミ袋の上方部分を、環状フレームを芯にして折り返して、ゴミ箱筒体と環状フレームとの隙間に落とし込むようにゴミ袋を装着するので、例えば、重量のあるゴミをゴミ袋内に投入した際に、ゴミ袋がずり落ちてしまうおそれがある。
【０００６】
本発明は、かかる点に鑑みてなされたものであり、その目的とするところは、ゴミ箱内でのゴミ袋のずり落ちを抑制することにある。
【課題を解決するための手段】
【０００７】
上記目的を達成するために、本発明に係る収納家具は、ゴミ箱と、上記ゴミ箱を床面に接する下部に収納する収納スペースとを有する収納家具であって、上記ゴミ箱は、底板と、上記底板に立った状態に設けられ、互いに対向して配置された第１側板及び第２側板と、上記底板に立った状態に設けられ、上記第１側板及び上記第２側板の背面側に連結された背板と、上記底板に立った状態に設けられ、上記第１側板及び上記第２側板の前面側に連結された前板とを備え、上記第１側板の上端部の上記第２側板側の表面には、ゴミ袋の開口縁を固定する第１固定バーが該上端部の端縁に沿って該端縁から突出するように設けられ、上記第２側板の上端部の上記第１側板側の表面には、ゴミ袋の開口縁を固定する第２固定バーが該上端部の端縁に沿って該端縁から突出するように設けられ、上記底板の裏面には、キャスターが設けられていることを特徴とする。
【０００８】
上記の構成によれば、ゴミ箱は、底板と、その底板に立った状態に設けられ、互いに対向して配置された第１側板及び第２側板とを備えている。ここで、第１側板の上端部の第２側板側、すなわち、箱内側の表面には、ゴミ袋の開口縁を固定する第１固定バーがその上端部の端縁に沿って設けられている。また、第２側板の上端部の第１側板側、すなわち、箱内側の表面には、ゴミ袋の開口縁を固定する第２固定バーがその上端部の端縁に沿って設けられている。これにより、例えば、第１側板に設けられた第１固定バーの両端部、及び第２側板に設けられた第２固定バーの両端部にゴミ袋の開口縁をそれぞれ括り付けることにより、ゴミ袋の開口縁を４か所で確実に固定することができ、ゴミ箱内でのゴミ袋のずり落ちを抑制することができる。また、第１固定バー及び第２固定バーが第１側板の上端部及び第２側板の上端部の箱内側の表面にそれぞれ設けられているので、ゴミ箱に装着したゴミ袋が外側から見え難くなり、美観を保つことができる。
【０００９】
また、ゴミ箱は、底板、第１側板及び第２側板の他に、底板に立った状態に設けられて第１側板及び第２側板の背面側に連結された背板と、底板に立った状態に設けられて第１側板及び第２側板の前面側に連結された前板とを備えている。これにより、ゴミ箱に装着したゴミ袋は、第１側板、第２側板、背板及び前板により平面視で４方から囲まれているので、装着したゴミ袋のゴミ箱内における移動が抑制され、ゴミ箱内でのゴミ袋のずり落ちをいっそう抑制することができる。
【００１０】
また、底板の裏面にキャスターが設けられているので、床面において、ゴミ箱を容易に平行移動させることができる。
【００１１】
また、収納家具の床面に接する下部において、底板の裏面にキャスターが設けられたゴミ箱を収納する収納スペースを有しているので、収納家具の収納スペースに対して、ゴミ箱を容易に出し入れすることができる。
【００１２】
上記収納スペースの前面には、収納扉が設けられ、該収納扉の上方がゴミ投入口になっていてもよい。
【００１３】
上記の構成によれば、収納スペースの前面に設けられた開閉可能な収納扉の上方がゴミ投入口になっているので、そのゴミ投入口を介して、収納スペース内に収納したゴミ箱に装着されたゴミ袋内にゴミを投入することができる。
【００１４】
上記前板は、上記収納スペースの下側部分を隠すように設けられ、該前板の上方がゴミ投入口になっていてもよい。
【００１５】
上記の構成によれば、ゴミ箱の前板が収納スペースの下側部分を隠すように設けられ、その前板の上方がゴミ投入口になっているので、そのゴミ投入口を介して、収納スペース内に収納したゴミ箱に装着されたゴミ袋内にゴミを投入することができる。また、収納スペースの前面に開閉可能な収納扉が設けられていないので、低コスト化を図ることができる。また、ゴミ箱を前方に引き出すことにより、収納家具の収納スペースからゴミ箱を取り出すことができ、一方、ゴミ箱を後方に押し込むことにより、収納家具の収納スペースにゴミ箱を収納することができるので、収納家具に対して、ゴミ箱を出し入れする際の作業を少なく済ませることができる。
【００１６】
上記収納スペースよりも上側のスペースの前面には、収納扉が設けられ、上記前板の前面は、上記収納扉の前面と同一平面に配置するように設けられていてもよい。
【００１７】
上記背板及び上記前板の間には、箱内をゴミ袋内でゴミを収容する空間と使用前のゴミ袋を収容する空間とに仕切る仕切り板が上記第１側板及び上記第２側板と対向するように設けられ、上記仕切り板は、上記第２側板との間に上記使用前のゴミ袋を縦に収容する空間を形成し、上記第２固定バーと上面視で重ならないように設けられていると共に、上記底板、上記背板及び上記前板に対して、該仕切り板を上下方向に移動させることにより取り外し可能に設けられていてもよい。
【００１８】
上記の構成によれば、背板及び前板の間には、箱内を装着したゴミ袋内でゴミを収容するメインの空間と使用前のゴミ袋を収容するサブの空間とに仕切る仕切り板が第１側板及び第２側板と対向するように設けられているので、ゴミ箱にゴミ袋を装着したまま、サブの空間において、使用前のゴミ袋を出し入れすることができ、利便性を向上させることができる。また、仕切り板は、底板、背板及び前板に対して、取り外し可能に設けられているので、ゴミ箱の底に落ちたものを取り易くできると共に、ゴミ箱の底を掃除し易くすることができる。
【００１９】
上記第１固定バー及び上記第２固定バーは、両端部以外が上記第１側板の上端部及び上記第２側板の上端部と離間するようにそれぞれ設けられていてもよい。
【００２０】
上記の構成によれば、第１固定バー（第２固定バー）は、両端部以外が第１側板（第２側板）の上端部と離間するように設けられているので、例えば、第１側板に取り付けられた第１固定バーの両端部、及び第２側板に取り付けられた第２固定バーの両端部にゴミ袋の開口縁をそれぞれ括り付けることにより、具体的にゴミ袋の開口縁を４か所で確実に固定することができる。
【発明の効果】
【００２１】
本発明によれば、第１側板の上端部の第２側板側の表面にゴミ袋の開口縁を固定する第１固定バーが設けられ、第２側板の上端部の第１側板側の表面にゴミ袋の開口縁を固定する第２固定バーが設けられているので、ゴミ箱内でのゴミ袋のずり落ちを抑制することができる。
【図面の簡単な説明】
【００２２】
【図１】本発明の第１の実施形態に係るゴミ箱の正面図である。
【図２】本発明の第１の実施形態に係るゴミ箱の側面図である。
【図３】本発明の第１の実施形態に係るゴミ箱の上面図である。
【図４】本発明の第１の実施形態に係るゴミ箱を収納する収納家具の正面図である。
【図５】本発明の第１の実施形態に係るゴミ箱を収納する収納家具の側面図である。
【図６】本発明の第２の実施形態に係るゴミ箱の側面図である。
【図７】本発明の第２の実施形態に係るゴミ箱を収納する収納家具の側面図である。
【発明を実施するための形態】
【００２３】
以下、本発明の実施形態を図面に基づいて詳細に説明する。なお、本発明は、以下の各実施形態に限定されるものではない。
【００２４】
《第１の実施形態》
図１〜図５は、本発明に係るゴミ箱及びそれを収納する収納家具の第１の実施形態を示している。ここで、図１、図２及び図３は、本実施形態のゴミ箱２０ａの正面図、側面図及び上面図である。また、図４及び図５は、ゴミ箱２０ａを収納する収納家具５０ａの正面図及び側面図である。
【００２５】
ゴミ箱２０ａは、図１、図２及び図３に示すように、底板１０と、底板に立った状態にそれぞれ設けられた第１側板１１、第２側板１２、背板１３及び前板１４ａとを備えている。
【００２６】
底板１０は、図３に示すように、矩形状に設けられ、例えば、ＬＶＬ（Laminated Veneer Lumber：単板積層材）、合板、集成材、無垢材、パーティクルボード、繊維板等の木質材料により構成されている。ここで、底板１０の裏面の４つの角部には、図１及び図２に示すように、キャスター１７がそれぞれ設けられている。
【００２７】
第１側板１１及び第２側板１２は、図１及び図３に示すように、互いに対向するように設けられている。ここで、第１側板１１（及び第２側板１２）は、図２に示すように、矩形状に設けられ、例えば、ＬＶＬ、合板、集成材、無垢材、パーティクルボード、繊維板等の木質材料により構成されている。また、第１側板１１及び第２側板１２は、例えば、ねじ止め等により、底板１０の側面、並びに背板１３及び前板１４ａの側面に固定されている。また、第１側板１１の上端部の第２側板１２側、すなわち、箱内側の表面には、図１、図２及び図３に示すように、ゴミ袋Ｐの開口縁を固定する第１固定バー１６ａがその上端部の端縁に沿って設けられている。また、第２側板１３の上端部の第１側板１１側、すなわち、箱内側の表面には、図１、図２及び図３に示すように、ゴミ袋Ｐの開口縁を固定する第２固定バー１６ｂがその上端部の端縁に沿って設けられている。
【００２８】
第１固定バー１６ａは、図１、図２及び図３に示すように、例えば、ねじ止め等により、その両端部が第１側板１１の上端部の表面に固定され、その両端部から屈曲した両端部以外の部分が第１側板１１の上端部の表面と離間するように設けられている。ここで、第１固定バー１６ａ及び第２固定バー１６ｂは、例えば、スチール、ステンレス鋼、アルミニウム等の金属材料や樹脂材料により構成されている。
【００２９】
第２固定バー１６ｂは、図１及び図３に示すように、例えば、ねじ止め等により、その両端部が第２側板１２の上端部の表面に固定され、その両端部から屈曲した両端部以外の部分が第２側板１２の上端部の表面と離間するように設けられている。
【００３０】
背板１３及び前板１４ａは、図３に示すように、互いに対向するように設けられている。ここで、（背板１３）及び前板１４ａは、図１に示すように、矩形状に設けられ、例えば、ＬＶＬ、合板、集成材、無垢材、パーティクルボード、繊維板等の木質材料により構成されている。また、背板１３及び前板１４ａは、例えば、ねじ止め等により、底板１０の側面に固定されている。なお、背板１３は、第１側板１１及び第２側板１２の背面側に連結されている。また、前板１４ａは、第１側板１１及び第２側板１２の前面側に連結されている。また、背板１３及び前板１４ａの間には、図１、図２及び図３に示すように、第１側板１１及び第２側板１２と対向するように仕切り板１５が設けられている。
【００３１】
仕切り板１５は、図１に示すように、箱内をゴミ袋Ｐ内でゴミを収容するメインの空間と使用前のゴミ袋Ｐの束Ｂを収容するサブの空間とに仕切るように構成されている。ここで、仕切り板１５は、矩形状に設けられ、例えば、ＬＶＬ、合板、集成材、無垢材、パーティクルボード、繊維板等の木質材料により構成されている。なお、仕切り板１５は、図１に示すように、その左右の側面の下側部分に、背板１３及び前板１４ａの表面に突出するように設けられた一対の規制ピンＲを挿入するための線状の溝Ｇが形成され、底板１０、背板１３及び前板１４ａに対して、取り外し可能に設けられている。また、本実施形態では、背板１３及び前板１４ａの表面に規制ピンＰが設けられ、仕切り板１５の側面に溝Ｇが設けられた係合構造を例示したが、背板１３及び前板１４ａの表面に仕切り板１５の側端部を挿入するための線状の溝が設けられた係合構造であってもよい。
【００３２】
上述したゴミ箱２０ａは、例えば、４５Ｌのゴミ袋Ｐを装着する際に、図１に示すように、第１固定バー１６ａの両端部及び第２固定バー１６ｂの両端部にゴミ袋Ｐの開口縁をそれぞれ括り付けることにより、箱内のメインの空間（図中の仕切り板１５の右側空間）にゴミ袋Ｐを収納するように構成されている。また、ゴミ箱２０ａは、図１に示すように、箱内のサブの空間（図中の仕切り板１５の左側空間）に複数枚のゴミ袋Ｐの束Ｂを収容するように構成され、箱内のメインの空間にゴミ袋Ｐを装着したまま、箱内のサブの空間において、例えば、使用前のゴミ袋Ｐやゴミ袋Ｐの束Ｂを出し入れ可能になっている。
【００３３】
なお、本実施形態では、背板１３及び前板１４ａを備えたゴミ箱２０ａを例示したが、背板１３及び前板１４ａは、省略されていてもよい。
【００３４】
また、ゴミ箱２０ａは、図４及び図５に示すように、収納家具５０ａの床面Ｆに接する下部に収容されるようになっている。
【００３５】
ここで、収納家具５０ａは、図４に示すように、床面Ｆに床置きされた右縦型収納ユニットＵａと、床面Ｆに床置きされた左縦型収納ユニットＵｂと、壁面Ｗに吊り施工された横型収納ユニットＵｃと、右縦型収納ユニットＵａ及び左縦型収納ユニットＵｂの間で床面Ｆに床置きされ、薄型テレビ４０が載置されたテレビボート２５とを備えている。
【００３６】
右縦型収納ユニットＵａは、図４及び図５に示すように、床面Ｆに立った状態にそれぞれ設けられた一対の側板２２及び背板２３と、一対の側板２２及び背板２３に固定された棚板２４ａ、棚板２４ｂ及び天板２４ｃと、ヒンジＨを介して開閉可能に設けられた収納扉２１ａ、２１ｂ及び２１ｃとを備え、その背面が裏側の壁面Ｗに固定されている。なお、棚板２４ｂ及び天板２４ｃの間には、図５に示すように、棚板２４ｄが取り外し及び高さ調節可能に設けられている。
【００３７】
左縦型収納ユニットＵｂは、図４に示すように、右縦型収納ユニットＵａと同様に、一対の側板（２２）と、背板（２３）と、棚板（２４ａ）と、棚板（２４ｂ）と、天板（２４ｃ）と、ヒンジＨを介して開閉可能に設けられた収納扉２１ｄ、２１ｅ及び２１ｆとを備え、その背面が裏側の壁面Ｗに固定されている。
【００３８】
横型収納ユニットＵｃは、前面が開口した４つの箱体を横並びに連結して構成され、図４に示すように、各箱体に対して、ヒンジＨを介して開閉可能に設けられた収納扉２１ｇ、２１ｈ、２１ｉ及び２１ｊを備え、その背面が裏側の壁面Ｗに固定されている。
【００３９】
右縦型収納ユニットＵａは、図５に示すように、ゴミ箱２０ａを床面Ｆに接する下部に収納する収納スペースＳを有している。ここで、収納スペースＳの前面には、図５に示すように、収納扉２１ａが設けられ、収納扉２１ａの上方が開口してゴミ投入口Ｍになっている。
【００４０】
上記構成の収納家具５０ａは、建築物の室内の１つの壁面Ｗの一部又は全面を覆うように設けられた壁面収納を構成している。
【００４１】
以上説明したように、本実施形態のゴミ箱２０ａによれば、ゴミ箱２０ａは、底板１０と、底板１０に立った状態に設けられ、互いに対向して配置された第１側板１１及び第２側板１２とを備えている。ここで、第１側板１１の上端部の第２側板１２側、すなわち、箱内側の表面には、ゴミ袋Ｐの開口縁を固定する第１固定バー１６ａがその上端部の端縁に沿って設けられている。また、第２側板１２の上端部の第１側板１１側、すなわち、箱内側の表面には、ゴミ袋Ｐの開口縁を固定する第２固定バー１６ｂがその上端部の端縁に沿って設けられている。これにより、第１側板１１に設けられた第１固定バー１６ａの両端部、及び第２側板１２に設けられた第２固定バー１６ｂの両端部にゴミ袋Ｐの開口縁をそれぞれ括り付けることにより、ゴミ袋Ｐの開口縁を４か所で確実に固定することができ、ゴミ箱２０ａ内でのゴミ袋Ｐのずり落ちを抑制することができる。また、第１固定バー１６ａ及び第２固定バー１６ｂが第１側板１１の上端部及び第２側板１２の上端部の箱内側の表面にそれぞれ設けられているので、ゴミ箱２０ａに装着したゴミ袋Ｐが外側から見え難くなり、美観を保つことができる。
【００４２】
また、本実施形態のゴミ箱２０ａによれば、ゴミ箱２０ａは、底板１０、第１側板１１及び第２側板１２の他に、底板１０に立った状態に設けられて第１側板１１及び第２側板１２の背面側に連結された背板１３と、底板１０に立った状態に設けられて第１側板１１及び第２側板１２の前面側に連結された前板１４ａとを備えている。これにより、ゴミ箱２０ａに装着したゴミ袋Ｐは、第１側板１１、第２側板１２、背板１３及び前板１４ａにより平面視で４方から囲まれているので、装着したゴミ袋Ｐのゴミ箱２０ａ内における横方向の移動が抑制され、ゴミ箱２０ａ内でのゴミ袋Ｐのずり落ちをいっそう抑制することができる。
【００４３】
また、本実施形態のゴミ箱２０ａによれば、背板１３及び前板１４ａの間には、箱内を装着したゴミ袋Ｐ内でゴミを収容するメインの空間と使用前のゴミ袋Ｐの束Ｂを収容するサブの空間とに仕切る仕切り板１５が第１側板１１及び第２側板１２と対向するように設けられているので、ゴミ箱２０ａにゴミ袋Ｐを装着したまま、サブの空間において、使用前のゴミ袋Ｐ等を出し入れすることができ、利便性を向上させることができる。
【００４４】
また、本実施形態のゴミ箱２０ａによれば、仕切り板１５は、底板１０、背板１３及び前板１４ａに対して、取り外し可能に設けられているので、ゴミ箱２０ａの底に落ちたものを取り易くできると共に、ゴミ箱２０ａの底を掃除し易くすることができる。
【００４５】
また、本実施形態のゴミ箱２０ａによれば、底板１０の裏面にキャスター１７が設けられているので、床面Ｆにおいて、ゴミ箱２０ａを容易に平行移動させることができる。
【００４６】
また、本実施形態のゴミ箱２０ａを収納する収納家具５０ａによれば、収納家具５０ａは、床面Ｆに接する下部において、底板１０の裏面にキャスター１７が設けられたゴミ箱２０ａを収納する収納スペースＳを有しているので、収納家具５０ａの収納スペースＳに対して、ゴミ箱２０ａを容易に出し入れすることができる。
【００４７】
また、本実施形態のゴミ箱２０ａを収納する収納家具５０ａによれば、収納スペースＳの前面に設けられた開閉可能な収納扉２１ａの上方がゴミ投入口Ｍになっているので、ゴミ投入口Ｍを介して、収納スペースＳ内に収納したゴミ箱２０ａに装着されたゴミ袋Ｐ内にゴミを投入することができる。
【００４８】
《第２の実施形態》
図６及び図７は、本発明に係るゴミ箱及びそれを収納する収納家具の第２の実施形態を示している。ここで、図６は、本実施形態のゴミ箱２０ｂの側面図である。また、図７は、ゴミ箱２０ｂを収納する収納家具５０ｂの側面図である。なお、以下の実施形態において、図１〜図５と同じ部分については同じ符号を付して、その詳細な説明を省略する。
【００４９】
上記第１の実施形態では、収納スペースＳの前面に収納扉２１ａが設けられた収納家具５０ａ及びそれに収納するゴミ箱２０ａを例示したが、本実施形態では、収納スペースＳの前面に収納扉がない収納家具５０ｂ及びそれに収納するゴミ箱２０ｂを例示する。
【００５０】
ゴミ箱２０ｂは、図６に示すように、底板１０と、底板に立った状態にそれぞれ設けられた第１側板１１、第２側板１２、背板１３及び前板１４ｂとを備えている。
【００５１】
前板１４ｂは、図６に示すように、背板１３と対向するように設けられている。ここで、前板１４ｂは、矩形状に設けられ、例えば、ＬＶＬ、合板、集成材、無垢材、パーティクルボード、繊維板等の木質材料により構成されている。また、前板１４ｂは、例えば、ねじ止め等により、底板１０の側面に固定されている。また、前板１４ｂは、第１側板１１及び第２側板１２の前面側に連結されている。なお、前板１４ｂは、上記第１の実施形態の前板１４ａよりも縦方向の寸法が長く形成されている。
【００５２】
上述したゴミ箱２０ｂは、例えば、４５Ｌのゴミ袋Ｐを装着する際に、第１固定バー１６ａの両端部及び第２固定バー１６ｂの両端部にゴミ袋Ｐの開口縁をそれぞれ括り付けることにより、箱内のメインの空間にゴミ袋Ｐを収納するように構成されている。また、ゴミ箱２０ｂは、箱内のサブの空間に複数枚のゴミ袋Ｐの束Ｂを収容するように構成され、箱内のメインの空間にゴミ袋Ｐを装着したまま、箱内のサブの空間において、例えば、使用前のゴミ袋Ｐやゴミ袋Ｐの束Ｂを出し入れ可能になっている。
【００５３】
また、ゴミ箱２０ｂは、図６に示すように、収納家具５０ｂの床面Ｆに接する下部に収容されるようになっている。
【００５４】
ここで、収納家具５０ｂは、上記第１の実施形態の収納家具５０ａと同様に、右縦型収納ユニットＵａ、左縦型収納ユニットＵｂ、横型収納ユニットＵｃ及びテレビボート２５を備えている。
【００５５】
右縦型収納ユニットＵａは、図７に示すように、床面Ｆに立った状態にそれぞれ設けられた一対の側板２２及び背板２３と、一対の側板２２及び背板２３に固定された棚板２４ａ、棚板２４ｂ及び天板２４ｃと、ヒンジＨを介して開閉可能に設けられた収納扉２１ｂ及び２１ｃとを備え、その背面が裏側の壁面Ｗに固定されている。なお、本実施形態の右縦型収納ユニットＵａでは、図７に示すように、上記第１の実施形態の収納家具５０ａの収納扉２１ａをゴミ箱２０ｂの前板１４ｂに置き換えている。
【００５６】
上記構成の収納家具５０ｂは、建築物の室内の１つの壁面Ｗの全面を覆うように設けられた壁面収納を構成している。
【００５７】
以上説明したように、本実施形態のゴミ箱２０ｂによれば、ゴミ箱２０ｂは、底板１０と、底板１０に立った状態に設けられ、互いに対向して配置された第１側板１１及び第２側板１２とを備えている。ここで、第１側板１１の上端部の第２側板１２側、すなわち、箱内側の表面には、ゴミ袋Ｐの開口縁を固定する第１固定バー１６ａがその上端部の端縁に沿って設けられている。また、第２側板１２の上端部の第１側板１１側、すなわち、箱内側の表面には、ゴミ袋Ｐの開口縁を固定する第２固定バー１６ｂがその上端部の端縁に沿って設けられている。これにより、第１側板１１に設けられた第１固定バー１６ａの両端部、及び第２側板１２に設けられた第２固定バー１６ｂの両端部にゴミ袋Ｐの開口縁をそれぞれ括り付けることにより、ゴミ袋Ｐの開口縁を４か所で確実に固定することができ、ゴミ箱２０ｂ内でのゴミ袋Ｐのずり落ちを抑制することができる。また、第１固定バー１６ａ及び第２固定バー１６ｂが第１側板１１の上端部及び第２側板１２の上端部の箱内側の表面にそれぞれ設けられているので、ゴミ箱２０ｂに装着したゴミ袋Ｐが外側から見え難くなり、美観を保つことができる。
【００５８】
また、本実施形態のゴミ箱２０ｂによれば、ゴミ箱２０ｂは、底板１０、第１側板１１及び第２側板１２の他に、底板１０に立った状態に設けられて第１側板１１及び第２側板１２の背面側に連結された背板１３と、底板１０に立った状態に設けられて第１側板１１及び第２側板１２の前面側に連結された前板１４ｂとを備えている。これにより、ゴミ箱２０ａに装着したゴミ袋Ｐは、第１側板１１、第２側板１２、背板１３及び前板１４ｂにより平面視で４方から囲まれているので、装着したゴミ袋Ｐのゴミ箱２０ｂ内における横方向の移動が抑制され、ゴミ箱２０ｂ内でのゴミ袋Ｐのずり落ちをいっそう抑制することができる。
【００５９】
また、本実施形態のゴミ箱２０ｂによれば、背板１３及び前板１４ｂの間には、箱内を装着したゴミ袋Ｐ内でゴミを収容するメインの空間と使用前のゴミ袋Ｐの束Ｂを収容するサブの空間とに仕切る仕切り板１５が第１側板１１及び第２側板１２と対向するように設けられているので、ゴミ箱２０ｂにゴミ袋Ｐを装着したまま、サブの空間において、使用前のゴミ袋Ｐ等を出し入れすることができ、利便性を向上させることができる。
【００６０】
また、本実施形態のゴミ箱２０ｂによれば、仕切り板１５は、底板１０、背板１３及び前板１４ｂに対して、取り外し可能に設けられているので、ゴミ箱２０ｂの底に落ちたものを取り易くできると共に、ゴミ箱２０ｂの底を掃除し易くすることができる。
【００６１】
また、本実施形態のゴミ箱２０ｂによれば、底板１０の裏面にキャスター１７が設けられているので、床面Ｆにおいて、ゴミ箱２０ｂを容易に平行移動させることができる。
【００６２】
また、本実施形態のゴミ箱２０ｂを収納する収納家具５０ｂによれば、収納家具５０ｂは、床面Ｆに接する下部において、底板１０の裏面にキャスター１７が設けられたゴミ箱２０ｂを収納する収納スペースＳを有しているので、収納家具５０ｂの収納スペースＳに対して、ゴミ箱２０ｂを容易に出し入れすることができる。
【００６３】
また、本実施形態のゴミ箱２０ｂを収納する収納家具５０ｂによれば、ゴミ箱２０ｂの前板１４ｂが収納スペースＳの下側部分を隠すように設けられ、前板１４ｂの上方がゴミ投入口Ｍになっているので、ゴミ投入口Ｍを介して、収納スペースＳ内に収納したゴミ箱２０ｂに装着されたゴミ袋Ｐ内にゴミを投入することができる。また、収納スペースＳの前面に開閉可能な収納扉（２１ａ）が設けられていないので、低コスト化を図ることができる。また、ゴミ箱２１ｂを前方に引き出すことにより、収納家具５０ｂの収納スペースＳからゴミ箱２０ｂを取り出すことができ、一方、ゴミ箱２０ｂを後方に押し込むことにより、収納家具５０ｂの収納スペースＳにゴミ箱２０ｂを収納することができるので、収納家具５０ｂに対して、ゴミ箱２０ｂを出し入れする際の作業を少なく済ませることができる。
【００６４】
《その他の実施形態》
上記各実施形態では、第１固定バー１６ａ及び第２固定バー１６ｂが第１側板１１及び第２側板１２の上端縁からそれぞれ突き出るように設けられたゴミ箱２０ａ（２０ｂ）を例示したが、第１固定バー１６ａ及び第２固定バー１６ｂは、第１側板１１及び第２側板１２の上端縁からそれぞれ突き出ないで外側から見えないように設けられていてもよい。
【００６５】
上記各実施形態では、仕切り板１５が設けられたゴミ箱２０ａ及び２０ｂを例示したが、仕切り板１５は、省略されていてもよい。
【００６６】
上記各実施形態では、テレビボート２５を備えた収納家具５０ａ及び５０ｂを例示したが、テレビ４０が載置されたテレビボート２５の代わりに、机及び椅子のセット等を配置してもよい。
【産業上の利用可能性】
【００６７】
以上説明したように、本発明は、ゴミ箱内でのゴミ袋のずり落ちを抑制することができるので、極めて有用である。
【符号の説明】
【００６８】
Ｍ        ゴミ投入口
Ｐ        ゴミ袋
Ｓ        収納スペース
１０      底板
１１      第１側板
１２      第２側板
１３      背板
１４ａ，１４ｂ    前板
１５      仕切り板
１６ａ    第１固定バー
１６ｂ    第２固定バー
１７      キャスター
２０ａ，２０ｂ    ゴミ箱
２１ａ    収納扉
５０ａ，５０ｂ    収納家具
【要約】
【課題】ゴミ箱内でのゴミ袋のずり落ちを抑制する。
【解決手段】底板１０と、底板１０に立った状態に設けられ、互いに対向して配置された第１側板１１及び第２側板１２とを備え、第１側板１１の上端部の第２側板１２側の表面には、ゴミ袋Ｐの開口縁を固定する第１固定バー１６ａがその上端部の端縁に沿って設けられ、第２側板１２の上端部の第１側板１１側の表面には、ゴミ袋Ｐの開口縁を固定する第２固定バー１６ｂがその上端部の端縁に沿って設けられている。
【選択図】図１【図１】
0006876782.tif 000002
【図２】
0006876782.tif 000003
【図３】
0006876782.tif 000004
【図４】
0006876782.tif 000005
【図５】
0006876782.tif 000006
【図６】
0006876782.tif 000007
【図７】
0006876782.tif 000008